(57)【要約】【課題】簡単な処理により地上デジタル放送用の文字放送信号を生成することができ、これにより設備投資に要するコストを最小限に抑えることが可能な地上デジタル文字放送信号生成装置を提供する。【解決手段】字幕放送ＴＳ生成装置１において、ＮＡＢデータ記憶部２に記憶される既存のＮＡＢデータファイルを利用して、ＣＰＵ１３にて地上デジタル字幕放送ＴＳのＰＥＳヘッダ、ＴＳヘッダ、アダプテーションフィールド、地上デジタル字幕管理データ及び地上デジタル字幕文データをそれぞれ生成し、これら生成データを出力バッファ１４に書き込んで地上デジタル字幕放送ＴＳを生成するようにしている。【選択図】図１
2006279529.tif 000002
【特許請求の範囲】
【請求項１】
地上デジタル放送の番組情報信号に多重すべき少なくともヘッダ領域と管理情報領域とデータ領域とを備える地上デジタル文字放送信号を生成する地上デジタル文字放送信号生成装置であって、
放送で規格化され、アナログ文字放送信号を生成するために必要な文字放送用データファイルを取得する取得手段と、
この取得手段で得られた文字放送用データファイルを解析し、この解析結果に基づいて前記ヘッダ領域へのデータを生成し、前記管理情報領域に入れるべく前記地上デジタル文字放送信号を前記番組情報信号に多重するために必要なデータを生成する共に、前記データ領域に入れるべく前記地上デジタル文字放送内容を示すデータを生成するデータ生成手段と、
前記データ生成手段で生成された前記ヘッダ領域のデータ、前記管理情報領域のデータ及び前記データ領域のデータを組み合わせて前記地上デジタル文字放送信号を構成する構成手段とを具備したことを特徴とする地上デジタル文字放送信号生成装置。
【請求項２】
前記番組情報信号と前記地上デジタル文字放送信号との多重化信号がＭＰＥＧ２（Moving Picture Experts Group 2）符号化方式で規定されるフォーマットで生成されたＴＳ（Transport Stream）であるとき、
前記データ生成手段は、前記文字放送用データファイルを解析し、この解析結果からＰＥＳ（Packetized Elementary Stream）ヘッダ部及びＴＳヘッダ部のデータを生成し、ペイロード部に入れる前記管理情報及び前記地上デジタル文字放送内容を示すデータを生成することを特徴とする請求項１記載の地上デジタル文字放送信号生成装置。
【請求項３】
前記データ生成手段は、前記データ領域への第１言語のデータとこの第１言語とは異なる第２言語のデータとを生成することを特徴とする請求項１記載の地上デジタル文字放送信号生成装置。
【請求項４】
前記データ生成手段は、前記データ領域に入れるべく１１２５ライン方式のデータと５２５ライン方式のデータとを生成することを特徴とする請求項１記載の地上デジタル文字放送信号生成装置。
【請求項５】
放送すべく前記地上デジタル文字放送信号がページ構造で、かつ１ページ分の前記地上デジタル文字放送信号が複数のＴＳパケットに分割されているとき、
前記データ生成手段は、前記ＴＳパケット毎にＰＥＳヘッダ部、ＴＳヘッダ部、前記管理情報領域及びペイロード部それぞれのデータを生成することを特徴とする請求項２記載の地上デジタル文字放送信号生成装置。
【請求項６】
さらに、前記データ生成手段で生成される前記管理情報領域のデータ及び前記データ領域のデータを組み合わせてアナログ文字放送信号を構成するアナログ文字放送信号構成手段とを備えたことを特徴とする請求項１記載の地上デジタル文字放送信号生成装置。
【請求項７】
さらに、前記取得手段により取得された文字放送用データファイルが放送で規格化されたデータファイルであるか否かを判定する判定手段を備え、
前記データ作成手段は、前記判定手段による判定結果に基づいて、前記ヘッダ領域、前記管理情報領域及び前記データ領域それぞれのデータを生成することを特徴とする請求項１記載の地上デジタル文字放送信号生成装置。
【請求項８】
地上デジタル放送の番組情報信号に多重すべき少なくともヘッダ領域と管理情報領域とデータ領域とを備える地上デジタル文字放送信号を生成する地上デジタル文字放送信号生成方法であって、
放送で規格化され、アナログ文字放送信号を生成するために必要な文字放送用データファイルを取得し、
文字放送用データファイルを解析し、この解析結果に基づいて前記ヘッダ領域へのデータを生成し、前記管理情報領域に入れるべく前記地上デジタル文字放送信号を前記番組情報信号に多重するために必要なデータを生成する共に、前記データ領域に入れるべく前記地上デジタル文字放送内容を示すデータを生成し、
前記ヘッダ領域のデータ、前記管理情報領域のデータ及び前記データ領域のデータを組み合わせて前記地上デジタル文字放送信号を構成するようにしたことを特徴とする地上デジタル文字放送信号生成方法。
【発明の詳細な説明】
【技術分野】
【０００１】
この発明は、地上デジタル放送の番組情報信号を送出するデジタル放送番組送出装置に適用され、この番組情報信号に多重すべき地上デジタル文字放送信号を生成する地上デジタル文字放送信号生成装置及び地上デジタル文字放送信号生成方法に関する。
【背景技術】
【０００２】
近年、地上波放送システムにおいて、デジタル放送が開始されている。このようなデジタル放送では、放送局用の機器やシステムとして、アナログ放送対応からデジタル技術の導入による番組制作のための放送局の設備までを含めたデジタル放送対応の移行期にある。この移行期において、アナログ放送とデジタル放送とが並存することになる（例えば、特許文献１）。
【０００３】
ところで、上記地上デジタル放送では、アナログ放送で実施されている字幕放送等の文字放送サービスについても検討されている。この場合、アナログ放送技術を地上デジタル放送技術にそのまま適用することができないため、アナログ放送用の文字放送信号とは別に、地上デジタル放送用の文字放送信号を新たに生成することになる。
【特許文献１】特開平１１−１４６３５８号公報。
【発明の開示】
【発明が解決しようとする課題】
【０００４】
しかしながら、上記実施方法では、アナログ放送用の文字放送信号とは別に、地上デジタル放送用の文字放送信号を新たに生成する必要があり、設備投資の面で多大なコストがかかる。
【０００５】
そこで、この発明の目的は、簡単な処理により地上デジタル放送用の文字放送信号を生成することができ、これにより設備投資に要するコストを最小限に抑えることが可能な地上デジタル文字放送信号生成装置及び地上デジタル文字放送信号生成方法を提供することにある。
【課題を解決するための手段】
【０００６】
この発明は、上記目的を達成するために、以下のように構成される。  
地上デジタル放送の番組情報信号に多重すべき少なくともヘッダ領域と管理情報領域とデータ領域とを備える地上デジタル文字放送信号を生成する地上デジタル文字放送信号生成装置であって、放送で規格化され、アナログ文字放送信号を生成するために必要な文字放送用データファイルを取得する取得手段と、この取得手段で得られた文字放送用データファイルを解析し、この解析結果に基づいてヘッダ領域へのデータを生成し、管理情報領域に入れるべく地上デジタル文字放送信号を番組情報信号に多重するために必要なデータを生成する共に、データ領域に入れるべく地上デジタル文字放送内容を示すデータを生成するデータ生成手段と、データ生成手段で生成されたヘッダ領域のデータ、管理情報領域のデータ及びデータ領域のデータを組み合わせて地上デジタル文字放送信号を構成する構成手段とを備えるようにしたものである。
【０００７】
この構成によれば、アナログ文字放送信号を生成するために必要な既存の文字放送用データファイルを利用して、地上デジタル文字放送信号のヘッダ領域のデータ、管理情報領域のデータ及びデータ領域のデータがそれぞれ生成される。このため、地上デジタル文字放送信号を一から生成する必要がなく、アナログ文字放送用の既存の文字放送用データファイルを用いて簡単な手順で適切な地上デジタル文字放送信号の生成処理を行うことができ、これにより設備投資に要するコストを最小限に抑えることができる。
【０００８】
データ生成手段は、データ領域への第１言語のデータとこの第１言語とは異なる第２言語のデータとを生成することを特徴とする。  
この構成によれば、送信側では、１処理で第１及び第２の言語による地上デジタル文字放送信号を生成することができ、放送受信機側では、決められた言語による文字放送を受信する必要がなく、任意の言語による文字放送を受信できる。従って、如何なる地域で放送受信機を使用しても、その地域で好適な言語による文字放送を選択して受信し視聴できる。
【０００９】
データ生成手段は、データ領域に入れるべく１１２５ライン方式のデータと５２５ライン方式のデータとを生成することを特徴とする。  
この構成によれば、１１２５ライン方式の地上デジタル文字放送信号や５２５ライン方式の地上デジタル文字放送信号を別々に生成する必要はなくなり、１１２５ライン方式／５２５ライン方式の混合放送にも柔軟に対応し得る地上デジタル文字放送信号を１処理で生成することができる。
【００１０】
さらに、データ生成手段で生成される管理情報領域のデータ及びデータ領域のデータを組み合わせてアナログ文字放送信号を構成するアナログ文字放送信号構成手段とを備えたことを特徴とする。
【００１１】
この構成によれば、地上デジタル文字放送信号の生成処理とアナログ文字放送信号の生成処理とを１つの装置で共用することができ、これにより地上デジタル文字放送信号専用の生成装置とアナログ文字放送信号専用の生成装置とを別々に用意する必要がなく、これにより設備投資に要するコストをさらに低減でき、またシステム構造を簡素化することができる。また、将来アナログ放送が終了し、地上デジタル放送へ移行した後でも、１つの生成装置をそのまま使用することができる。
【００１２】
さらに、取得手段により取得された文字放送用データファイルが放送で規格化されたデータファイルであるか否かを判定する判定手段を備え、データ作成手段は、判定手段による判定結果に基づいて、ヘッダ領域、管理情報領域及びデータ領域それぞれのデータを生成することを特徴とする。  
この構成によれば、ヘッダ領域、管理情報領域及びデータ領域それぞれのデータの生成処理の実行に先立ち、文字放送用データファイルが規格に従っているか否かを判定し、規格に従っていることを確かめた上で、文字放送用データファイルを利用して地上デジタル文字放送信号を生成するようにしている。このため、適切な地上デジタル文字放送信号の生成処理を行うことができ、これにより地上デジタル文字放送信号の生成処理上の信頼性を高めることができる。
【発明の効果】
【００１３】
以上詳述したようにこの発明によれば、簡単な処理により地上デジタル放送用の文字放送信号を生成することができ、これにより設備投資に要するコストを最小限に抑えることが可能な地上デジタル文字放送信号生成装置及び地上デジタル文字放送信号生成方法を提供することができる。
【発明を実施するための最良の形態】
【００１４】
以下、この発明の実施形態について図面を参照して詳細に説明する。  
図１は、この発明に係る地上デジタル文字放送信号生成装置を適用した送出装置の一実施形態を示すもので、符号１は字幕放送ＴＳ生成装置を示し、ＭＰＥＧ２による地上デジタル字幕放送ＴＳを出力するものとする。
【００１５】
字幕放送ＴＳ生成装置１において、データバス１１上には入力インタフェース部（入力Ｉ／Ｆ）１２、ＣＰＵ１３、出力バッファ１４、出力インタフェース部（出力Ｉ／Ｆ）１５が接続される。
【００１６】
入力インタフェース部１２は、ＣＰＵ１３の制御の下で、ＮＡＢ（National Association of Broadcast）データ記憶部２からＮＡＢデータファイルを読み出して、ＣＰＵ１３に転送する。
【００１７】
ＣＰＵ１３は、入力インタフェース部１２により転送されたＮＡＢデータファイルの解析処理、ＰＥＳヘッダ及びＰＥＳパケットデータの生成、ＴＳヘッダやアダプテーションフィールドの内容算出を行って、出力バッファ１４にＴＳヘッダやアダプテーションフィールドの内容を書き込む。また、ＣＰＵ１３は、ＴＳのペイロードに入れる字幕管理データ及び字幕文データを出力バッファ１４に書き込む。
【００１８】
出力バッファ１４は、ＣＰＵ１３からのＴＳヘッダ、アダプテーションフィールド、ペイロードを格納することでＴＳパケットを生成し、適宜出力する。この出力バッファ１４から出力されたＴＳパケットは、出力インタフェース部１５を介してマルチプレクサ（ＭＵＸ）３に供給され、このマルチプレクサ３により番組情報信号のＴＳパケットと多重化されて送出される。
【００１９】
また、この実施形態におけるＣＰＵ１３は、ＮＡＢデータファイル取得部１３１と、ＮＡＢデータ判定部１３２と、字幕データ生成部１３３と、アナログ放送用字幕データ生成部１３４とを備えている。
【００２０】
このうちＮＡＢデータファイル取得部１３１は、上位機能からＣＡＬＬ（指示情報）が入力されたとき、上記入力インタフェース部１２を制御してＮＡＢデータ記憶部２からＮＡＢデータファイルを読み出す。ＮＡＢデータ判定部１３２は、読み出したＮＡＢデータファイルがＮＡＢフォーマット規格を満たしているか否かのチェックを行う。
【００２１】
字幕データ生成部１３３は、ＮＡＢデータファイルがＮＡＢフォーマット規格を満たしている場合に、ＮＡＢデータファイルを解析し、この解析結果に基づいて、ＰＥＳヘッダ、ＴＳヘッダやアダプテーションフィールドへのデータを生成すると共に、映像信号の補助データ領域に字幕文データを重畳するために必要な地上デジタル字幕管理データを生成し、ＨＤ(High Definition:１１２５ライン方式)フォーマット用の地上デジタル字幕文データ（第１言語、第２言語）と、ＳＤ（Standard Definition：５２５ライン方式）フォーマット用の地上デジタル字幕文データ（第１言語、第２言語）とを生成し、これらデータを出力バッファ１４に書き込む。なお、字幕文データは、ページ構造で送出すべきページごとに整列され、ページ内ではさらに送出すべきＴＳパケットの順番に整列される。また、第１言語は例えば日本語であり、第２言語は例えば英語である。
【００２２】
アナログ放送用字幕データ生成部１３４は、上記ＮＡＢデータファイルを用いて、アナログ放送用の字幕管理データ、字幕文データを生成して出力バッファ１４に書き込む。すると、出力バッファ１４は、出力インタフェース部１５を介してアナログ字幕放送信号を出力する。なお、字幕文データは、ページ構造で送出すべきページごとに整列され、ページ内ではさらに送出すべきＴＳパケットの順番に整列される。
【００２３】
次に、上記構成における動作について説明する。  
図２は、地上デジタル字幕放送用のＭＰＥＧ２のＰＥＳ構造を示すものである。ＰＥＳヘッダは可変長で、パケット・スタート・コード・プリフィックス（packet start code prefix）と呼ばれる固定パターンの開始コードから始まり、必要に応じてＰＴＳやＤＴＳなどが付加される。地上デジタル字幕管理データやＰＥＳパケットデータも可変長である。ＰＥＳパケットデータには、ＨＤフォーマット用の地上デジタル字幕文データ（第１言語、第２言語）と、ＳＤフォーマット用の地上デジタル字幕文データ（第１言語、第２言語）とが存在する。
【００２４】
図３は、地上デジタル字幕放送用のＭＰＥＧ２のＴＳ構造を示すものである。ＴＳヘッダは固定長で、同期バイト（sync byte）と呼ばれる固定パターンの開始コードから始まり、誤り表示情報、ＰＩＤ（Packet ID）、スクランブル情報、アダプテーションフィールド（Adaptation Field）の有無を示すアダプテーションフィールド制御情報などが存在する。アダプテーションフィールドは、ＴＳヘッダのアダプテーションフィールド制御値が２進数で（１１）のときに存在する可変長のフィールドで、システムの時間情報を示すＰＣＲ（Program Clock Reference）などが存在する。ＴＳのバイト数は１８８バイトの固定長なので、１８８からＴＳのヘッダ長とアダプテーションフィールドのバイト数を引いた値がペイロードのバイト数となる。ペイロードにはＰＥＳパケットそのものが存在するが、一つのＴＳのペイロードで全てのＰＥＳが伝送できない場合には、それに続くＴＳパケットのペイロードに残りのＰＥＳを乗せて伝送する。
【００２５】
図４は、ＰＥＳとＴＳの関係を示すものである。ＴＳのペイロードには必要なバイト数に分割されたＰＥＳが存在する。なお、図中ＡＦはアダプテーションフィールドの略である。
【００２６】
図５は、上記字幕放送ＴＳ生成装置１内のＣＰＵ１３の処理手順を示すフローチャートである。  
ＣＰＵ１３は、上位の機能からＣＡＬＬが入力されると、入力インタフェース部１２を制御してＮＡＢデータ記憶部２からＮＡＢデータファイルを読み出し（ステップＳＴ５ａ）、このＮＡＢデータファイルがＮＡＢフォーマット規格を満たしているか否かの判断を行う（ステップＳＴ５ｂ）。
【００２７】
ここで、ＮＡＢデータファイルがＮＡＢフォーマット規格を満たしているならば（Ｙｅｓ）、ＣＰＵ１３はＮＡＢデータファイルを用いて、ＰＥＳヘッダ、ＴＳヘッダ、アダプテーションフィールドへのデータを生成するとともに、地上デジタル字幕管理データを生成して、出力バッファ１４にこれら生成データを書き込む（ステップＳＴ５ｃ）。
【００２８】
続いて、ＣＰＵ１３は、ＮＡＢデータファイルを用いて、ＨＤフォーマット用の第１言語の地上デジタル字幕文データと、ＳＤフォーマット用の第１言語の地上デジタル字幕文データとを生成して、出力バッファ１４にこれら生成データを書き込む（ステップＳＴ５ｄ）。
【００２９】
続いて、ＣＰＵ１３は、ＮＡＢデータファイルを用いて、ＨＤフォーマット用の第２言語の地上デジタル字幕文データと、ＳＤフォーマット用の第２言語の地上デジタル字幕文データとを生成して、出力バッファ１４にこれら生成データを書き込む（ステップＳＴ５ｅ）。
【００３０】
続いて、ＣＰＵ１３は、ＮＡＢデータファイルを用いて、アナログ放送用の字幕管理データ及び字幕文データを含むアナログ字幕文データファイルを生成して、出力バッファ１４に書き込む（ステップＳＴ５ｆ）。
【００３１】
そして、処理完了後、ＣＰＵ１３は上位機能へＲＥＴＵＲＮを送出する（ステップＳＴ５ｇ）。なお、上記ステップＳＴ５ｂにおいて、読み出したＮＡＢデータファイルがＮＡＢフォーマット規格を満たしていない場合（Ｎｏ）、ＣＰＵ１３は上記ステップＳＴ５ｇの処理に移行する。また、ＣＰＵ１３は、出力バッファ１４の出力のうち、地上デジタル字幕用ＴＳをマルチプレクサ３に出力し、アナログ字幕放送信号をアナログ放送系統に出力するように出力インタフェース部１５を制御する。
【００３２】
また、上記処理では、１ページ分の字幕文データが複数のＴＳパケットに分割されているので、ＴＳパケットごとに上記ステップＳＴ５ａ乃至ステップＳＴ５ｇの処理を繰り返し実行する。
【００３３】
以上のように上記実施形態では、字幕放送ＴＳ生成装置１において、ＮＡＢデータ記憶部２に記憶される既存のＮＡＢデータファイルを利用して、ＣＰＵ１３にて地上デジタル字幕放送ＴＳのＰＥＳヘッダ、ＴＳヘッダ、アダプテーションフィールド、地上デジタル字幕管理データ及び地上デジタル字幕文データをそれぞれ生成し、これら生成データを出力バッファ１４に書き込んで地上デジタル字幕放送ＴＳを生成するようにしている。
【００３４】
従って、地上デジタル字幕放送ＴＳを一から生成する必要がなく、既存のＮＡＢデータファイルを用いて簡単な手順で適切な地上デジタル字幕放送ＴＳの生成処理を行うことができ、これにより設備投資に要するコストを最小限に抑えることができる。
【００３５】
また、上記実施形態では、字幕放送ＴＳ生成装置１のＣＰＵ１３において、第１言語及び第２言語による地上デジタル字幕文データを１処理で生成するようにしている。従って、如何なる地域で放送受信機を使用しても、その地域で好適な言語による字幕放送を選択して受信し視聴できる。
【００３６】
また、上記実施形態では、字幕放送ＴＳ生成装置１のＣＰＵ１３において、ＨＤフォーマット用の地上デジタル字幕文データ及びＳＤフォーマット用の地上デジタル字幕文データを１処理で生成するようにしている。従って、ＨＤフォーマット用の地上デジタル字幕文データやＳＤフォーマット用の地上デジタル字幕文データを別々に生成する必要はなくなり、これによりＨＤ／ＳＤの混合放送にも柔軟に対応し得る地上デジタル字幕放送ＴＳを生成することができる。
【００３７】
また、上記実施形態では、字幕放送ＴＳ生成装置１のＣＰＵ１３において、ＮＡＢデータファイルを利用して、アナログ字幕文データファイルも生成しているので、地上デジタル字幕放送ＴＳの生成処理とアナログ字幕放送信号の生成処理とを１つの字幕放送ＴＳ生成装置１で共用することができ、これにより地上デジタル字幕放送専用の生成装置とアナログ字幕放送専用の生成装置とを別々に用意する必要がなく、これにより設備投資に要するコストをさらに低減でき、またシステム構造を簡素化することができる。また、将来アナログ放送が終了し、地上デジタル放送へ移行した後でも、字幕放送ＴＳ生成装置１をそのまま使用することができる。
【００３８】
さらに、上記実施形態では、字幕放送ＴＳ生成装置１のＣＰＵ１３において、地上デジタル字幕放送ＴＳのＰＥＳヘッダ、ＴＳヘッダ、アダプテーションフィールド、地上デジタル字幕管理データ及び地上デジタル字幕文データの生成処理の実行に先立ち、ＮＡＢデータファイルがＮＡＢフォーマット規格を満たしているか否かを判定し、規格を満たしていることを確かめた上で、ＮＡＢデータファイルを利用して地上デジタル字幕放送ＴＳを生成するようにしている。
【００３９】
このため、適切な地上デジタル字幕放送ＴＳの生成処理を行うことができ、これにより地上デジタル字幕放送ＴＳの生成処理上の信頼性を高めることができる。
【００４０】
なお、この発明は上記実施形態に限定されるものではない。例えば、上記実施形態では、ＭＰＥＧ２規格の地上デジタル字幕放送ＴＳを取り扱う例について説明したが、ＭＰＥＧ２以外の地上デジタル字幕放送信号を取り扱うようにしてもよい。また、字幕に限らず、他の地上デジタル文字放送信号にも適用できる。
【００４１】
その他、送出装置の構成、字幕放送ＴＳ生成装置の構成、地上デジタル字幕放送ＴＳの生成手順等についても、この発明の要旨を逸脱しない範囲で種々変形して実施できる。
【図面の簡単な説明】
【００４２】
【図１】この発明に係る地上デジタル文字放送信号生成装置を適用した送出装置の一実施形態を示すブロック図。
【図２】この実施形態で取り扱う地上デジタル字幕放送用のＭＰＥＧ２のＰＥＳ構造を示す図。
【図３】この実施形態で取り扱う地上デジタル字幕放送用のＭＰＥＧ２のＴＳ構造を示す図。
【図４】この実施形態で取り扱う地上デジタル字幕放送用のＰＥＳとＴＳの関係を示す図。
【図５】この実施形態における字幕放送ＴＳ生成装置内のＣＰＵの処理手順を示すフローチャート。
【符号の説明】
【００４３】
１…字幕放送ＴＳ生成装置、２…ＮＡＢデータ記憶部、３…マルチプレクサ（ＭＵＸ）、１１…データバス、１２…入力インタフェース部（入力Ｉ／Ｆ）、１３…ＣＰＵ、１４…出力バッファ、１５…出力インタフェース部（出力Ｉ／Ｆ）、１３１…ＮＡＢデータファイル取得部、１３２…ＮＡＢデータ判定部、１３３…字幕データ生成部、１３４…アナログ放送用字幕データ生成部。
【図１】
2006279529.tif 000003
【図２】
2006279529.tif 000004
【図３】
2006279529.tif 000005
【図４】
2006279529.tif 000006
【図５】
2006279529.tif 000007